(57)【要約】【課題】隆起したフランジを備えたエンドフォームを流体作用部材の孔内に結合させる流体クイックコネクタを提供する。【解決手段】流体コネクタの一態様では、プレート形のリテイナは、このプレートをハウジング上に移動可能に設けるためのチャネルを形成する互いに対向するエッジを有している。側方タブが、移動された位置にリテイナをロックし、エンドフォームをハウジング内でラッチ留めする。他の態様では、リテイナは、リテイナを第２の位置へ付勢するばねアーム部を有している。リテイナは、ハウジングから外方に延びたトップハットの舌部によって第１の位置に保持される。トップハットは、エンドフォームと係合して長手方向内方に移動して、ばねアーム部を解放し、リテイナを第２の位置へと自動的に移動させて、ハウジング内でエンドフォームをラッチ留めする。【選択図】      図１
2006132763.tif 000002
【特許請求の範囲】
【請求項１】
隆起したフランジを備えたエンドフォームを流体作用部材と流体的に結合するための流体クイックコネクタであって、
第１の端面から延びた孔を備えたハウジングと、
このハウジングに対する第１の位置と第２の位置との間で移動するように前記ハウジングに装着されるリテイナとを具備し、
このリテイナは、第１の大きな直径の穴部と、この穴部と連続した第２の小さな直径の穴部とから成る穴を有し、リテイナが前記第１の位置にあるとき、前記第１の大きな直径の穴部は、ハウジングの孔と同軸にアラインメントされて、エンドフォームの前記フランジがハウジングの孔中に挿入可能となり、
前記リテイナが前記第２の位置にあるとき、前記第２の小さな直径の穴部は、ハウジングの第１の端面の孔と同軸にアラインメントされ、ハウジング内にエンドフォームをラッチするようにフランジをブロックする、流体クイックコネクタ。
【請求項２】
前記リテイナは、前記穴を有する壁を有している請求項１の流体クイックコネクタ。
【請求項３】
前記リテイナは、前記ハウジングを覆うように配置された少なくとも１つの舌部を有している請求項１の流体クイックコネクタ。
【請求項４】
前記リテイナは、ハウジングに沿って曲げられ得る少なくとも１つの側方エッジタブを有している、請求項３の流体クイックコネクタ。
【請求項５】
前記リテイナは、前記ハウジングに沿って曲げられ得る少なくとも１つの側方エッジタブを有している、請求項１の流体クイックコネクタ。
【請求項６】
前記リテイナが第２の位置にあるときにハウジングと係合するために、リテイナ上に支持されたロックタブを更に具備している請求項５の流体クイックコネクタ。
【請求項７】
前記リテイナが第２の位置にあるときにハウジングと係合するために、リテイナ上に支持されたロックタブを更に具備している請求項１の流体クイックコネクタ。
【請求項８】
前記リテイナは、
前記第１の大きな直径の穴部と第２の小さな直径の穴部とからなる前記穴を備えた壁を有している、請求項１の流体クイックコネクタ。
【請求項９】
前記リテイナは、
このリテイナを前記ハウジングに移動可能に装着するために前記壁から延びた１対のチャネルを更に有している、請求項８の流体クイックコネクタ。
【請求項１０】
前記リテイナを第２の位置へ自動的に付勢するためにリテイナに支持された付勢手段を更に具備している請求項９の流体クイックコネクタ。
【請求項１１】
前記リテイナを第２の位置に自動的に付勢するためにリテイナに支持された付勢手段を更に具備している請求項８の流体クイックコネクタ。
【請求項１２】
前記付勢手段は、リテイナ上で支持され、ハウジング上で付勢される少なくとも１つのばねアーム部を有している、請求項１１の流体クイックコネクタ。
【請求項１３】
前記付勢手段は、
前記ハウジングと付勢係合するように前記リテイナ上で支持された１対のばねアーム部を有している、請求項１１の流体クイックコネクタ。
【請求項１４】
前記ハウジングの第１の端面に形成された拡大したフランジを更に具備し、前記リテイナは、このフランジに摺動可能に装着されている、請求項１の流体クイックコネクタ。
【請求項１５】
前記リテイナが第２の位置から第１の位置へと移動するのを防ぐためにリテイナの前記穴の前記第１の大きな直径の穴部を通って設けられ得るラッチ部材を更に具備している請求項１の流体クイックコネクタ。
【請求項１６】
流体クイックコネクタによって隆起したフランジを備えたエンドフォームを流体作用部品と流体的に結合させる方法であって、
第１の端面から延びた孔を有するハウジングを提供することと、
このハウジングを覆うように、第１の大きな直径の穴部と、この穴部と連続した第２の小さな直径の穴部とから成る穴を有するリテイナを設けることと、
このリテイナを付勢して、第１の大きな直径の穴部がハウジングの孔と同軸にアラインメントされる第１の位置から、第２の小さな直径の穴部がハウジングの孔と同軸にアラインメントされる第２の位置へと、リテイナを移動させることと、
挿入されたエンドフォームとの係合に応じて、スリーブをリテイナの第１の穴部から解放してリテイナを第２の位置へ自動的に付勢できるようにするために、挿入されたエンドフォームがリテイナと係合された時にリテイナを第１の位置に保持するようにこのエンドフォームがリテイナの第１の直径の穴部と係合する第１の位置から第２の位置へと移動するための移動可能なスリーブをハウジングの孔内に設けることとを具備している方法。
【発明の詳細な説明】
【技術分野】
【０００１】
本発明は、一般に、複数の流体コネクタ部品を結合させる流体クイックコネクタに関する。
【背景技術】
【０００２】
スナップ留め式の、即ち、クイックコネクタは、幅広い用途で、特に自動車および工業的用途で流体運搬導管を結合するために、使用されている。このようなクイックコネクタは、管状導管のような一方のコネクタ部品を、他方のコネクタ部品、即ち、ハウジングの相補的な孔内に取着するために、リテイナ、即ち、ロック部材を使用している。このようなリテイナは、軸方向に移動可能あるいは径方向に移動可能なタイプである。用語“軸方向に移動可能”あるいは“径方向に移動可能”は、リテイナを受ける部品のあけられた軸方向の孔に対する方向について述べている。
【０００３】
軸方向に移動可能なリテイナを備えた典型的なクイックコネクタでは、リテイナは、一方のコネクタ部品のハウジング、あるいは、ハウジングの孔内に装着されている。このリテイナは、径方向に角度をなして延びかつハウジングの孔の軸方向中心線に向けて内方へ延びている複数の脚部を有している。ハウジングの孔内にシールするように設けられるチューブ、即ち、導管は、リテイナ脚部の内周面に当接する径方向に裏返した部分、即ち、フランジを備えたエンドフォームを有している。チューブがハウジング内のリテイナ脚部とロック係合されたときにハウジングとチューブとの間にシールを形成するために、孔内には、軸受け、即ち、トップハットだけでなく、典型的にはシールおよびスペーサ部材が、リテイナより前に設けられている。
【０００４】
径方向に移動可能なリテイナもまた公知であり、このタイプのリテイナは、ハウジング内の主貫通孔に対して横方向に形成され互いにアラインメントされた複数の孔、即ち、穴を通って径方向に移動可能である。この径方向に移動可能なリテイナには、典型的には、チューブ、即ち、導管がハウジングの孔内に完全に着座されたときにのみ裏返した部分、即ち、フランジの後ろを摺動するような大きさおよび位置付けにされた１対の付属脚部が設けられている。これにより、チューブがハウジングの孔内に完全に挿入されたときにのみ径方向移動可能なリテイナがハウジング中に完全に挿入され得るため、チューブが完全に着座されたことを示すだけでなく、チューブがハウジングと正ロック係合され得る。
【０００５】
リテイナのタイプに関係なく、流体コネクタのハウジング部は、典型的には、端部から離間されたところに１つ以上の環状バーブを備えた細長いステムを有している。これらバーブは、ハウジングを導管の一端部と接続させるようにバーブ上に押圧される他のチューブ、即ち、導管との間にしっかりした係合を与える。
【発明の開示】
【発明が解決しようとする課題】
【０００６】
流体クイックコネクタの多くは、別個の製造処理および組立てを必要とする複合部品を有している。更に、典型的なクイックコネクタは、リテイナを収容可能な全長を有している。このため、流体クイックコネクタの全長は、様々の用途で好ましいとされる長さを超えた長さが増す。更に、こうして流体クイックコネクタが長いと、材料コストが増加する。
【０００７】
自動車燃料システムのような所定の用途では、火事の場合の燃料システムの完全性の検査のために、クイックコネクタが金属で形成されていることが重要である。
【０００８】
かくして、本発明は、改良された流体クイックコネクタを提供することを目的とする。
【課題を解決するための手段】
【０００９】
本発明は、摺動可能なリテイナを備えた流体クイックコネクタである。一態様では、流体クイックコネクタは、第１の端面から延びた孔を備えたハウジングを有している。リテイナが、ハウジングに対する第１の位置と第２の位置との間で移動可能なようにハウジングに装着される。このリテイナは、第１の大きな直径の穴部と、この穴部と連続した第２の小さな直径の穴部とから成る穴を有している。第１の直径の穴部は、リテイナが第１の位置にあるとき、ハウジングの孔と同軸にアラインメントされ、これにより、エンドフォームのフランジがハウジングの孔中に挿入され得る。第２の直径の穴部は、リテイナが第２の位置にあるとき、ハウジングの孔と同軸にアラインメントされ、エンドフォームのフランジをハウジングから分離可能にする。
【００１０】
一態様では、前記リテイナは、リテイナを第１の位置から第２の位置へと自動的に付勢する付勢手段を有している。トップハットの形であるとき、スリーブが、ハウジングの孔内に移動可能に設けられ、第１の位置と第２の位置との間で動く。第１の位置では、スリーブの一部分がリテイナの第１の穴部と係合し、リテイナを第１の位置に保持する。第２の位置では、エンドフォームが挿入され係合されたとき、リテイナを解放して第２の位置へと自動的に動くようにする。付勢手段は、リテイナ上に支持され、ハウジングと係合してリテイナを第２の位置へ通常は付勢する。
【００１１】
あるいは、冗長なラッチが、ハウジングの孔内に、ハウジングの１側方エッジの周りに設けられる。
【００１２】
本発明の様々の特性、利点、および他の使用が、以下の詳細な説明と図面とを参照することによって、更に明らかになるだろう。
【発明を実施するための最良の形態】
【００１３】
本発明の様々の態様の流体クイックコネクタを説明する前に、本発明の特性と利点とがより明瞭に理解できるように、流体クイックコネクタの一般的な使用について簡単な説明をしたい。
【００１４】
本発明の流体クイックコネクタの使用についての以下の説明は、導管、ホース、および／又は、金属あるいはプラスチックのチューブを互いに流体連通させるように接続するのに応用されることが理解されるだろう。本明細書では、クイックコネクタの一端部内に挿入される導管、管状部材、あるいは流体使用部品の端部が、エンドフォームとして規定されている。エンドフォームは、別個のホースまたは導管を一端で受ける別個の部材であってもよいし、細長い金属またはプラスチックチューブの端部に一体的に形成されていてもよい。更に、エンドフォームは、細長い導管の一部として用いられるよりむしろ、ポンプ、フィルタ、弁、マニフォールドなどの流体使用装置に一体的に形成されてもよいし、別個の部材として設けられてもよい。
【００１５】
本発明の流体クイックコネクタの全態様では、個々のチューブ、ホースなどだけでなく、ポンプ、弁、マニフォールドなどの流体作用部材を流体的に結合させるためにハウジングとリテイナとを使用している。
【００１６】
図５および図６を主として参照すると、図示された流体クイックコネクタは、典型的には金属またはプラスチックで形成されたハウジング２０を有している。金属は、本発明における単なる例として使用されている。ハウジングは、拡大した直径の端部２２から対向した第２の端部２４まで延び、段のついた外形を有している。拡大した直径の端部２２は、端部２２から延び、内側フランジ２８から離間され、径方向に拡大する外側フランジ２６から形成されている。段部３０が、ハウジング２０の長軸に対して軸方向に延びている、内側フランジ２８と減じられた直径の部分３２との間の移行部を形成している。第２の段部３４は、ハウジング２０内に第１の段部から離間されたところに形成され、剛性の環状スペーサ４０によって分離されたＯリング３６，３８のような１つ以上のシール部材用の座部を形成している。他の減じられた直径の穴部４２は、移行部または肩部３４からハウジング２０の第２の端部２４まで軸方向に延びている。導管保持バーブ４４が、ハウジング２０の一端で可撓性ホースまたはチューブを保持するために、ハウジングに沿って第２の端部２４から離間されたところに形成されていてよい。
【００１７】
図６および図１０に示されているように、剛性のトップハット（top hat）５０が、ハウジング２０の孔内に設けられている。このトップハット５０は、剛性のプラスチック材料で形成され、シール部材３６，３８およびスペーサ４０をハウジング２０の孔内に保持するように働く。
【００１８】
前記トップハット５０と、シール３６，３８と、スペーサ４０と、穴部４２とを通る孔の内径は、エンドフォーム６２の先端部６０をシールするように受ける大きさにされている。エンドフォーム６２は、先端部６６から離間したところに、拡大した直径のビード、即ち、フランジ６４を有している。
【００１９】
図１ないし図４に示された本発明の一態様では、この態様の流体クイックコネクタが、ハウジング２０の第１の端部２２の拡大した端部フランジ２６の上方に摺動可能に装着されるリテイナ７０を有している。このリテイナ７０は、適当な高強度材料で形成されており、例えばステンレススチールのような金属材料が、単なる例として用いられている。
【００２０】
前記リテイナ７０は、短い側方エッジ７４と長い側方エッジ７８，８０とを有するほぼ平坦なプレート７２である。プレート部７２は、正方形、楕円形、円形などの他の形を有してもよいことが理解されるだろう。長い側方エッジ７８，８０は、互いに対向しており内方に裏返された１対のフランジ８２，８４によって形成されている。これらフランジ８２，８４は、対向して向き合うエッジ８６，８８を夫々有している。エッジ８６，８８は、凹部９０，９２を形成するように、プレート７２の隣接部から離間されている。凹部９０，９２は、ハウジング２０の端部フランジ２６の軸方向の長さよりも僅かに大きな幅を有しているので、リテイナ７０は、矢印９４で示された両方向へ摺動するようにハウジング２０の端部フランジ２６の上に摺動可能に装着され得る。
【００２１】
リテイナ７０のプレート、即ち、壁７２は、一般的に、小さな直径の穴部１０２と、この穴部と連続した大きな直径の穴部１０４とからなる鍵穴形である穴１００を有している。
【００２２】
リテイナ７０は、図２に示された第１の位置と図３および図４に示された第２の位置との間で摺動可能なようにハウジング２０の端部フランジ２６上に装着されている。第１の位置は、リテイナ７０の大きな直径の穴部１０４がハウジング２０の第１の端部２２から延びた孔の開端部とアラインメントされる、開いた位置として規定されている。この大きな直径の穴部１０４により、エンドフォーム６２の拡大したフランジ６４が、リテイナ７０の穴部１０４を通ってハウジング２０の孔内に挿入され得る。
【００２３】
エンドフォーム６２の先端部６６がハウジング２０の孔内のシール３４，３６と完全に係合されるようにフランジ６４がハウジング内に完全に挿入された後、リテイナ７０が、ラッチ留めされ閉じられていると規定されている図３に示された第２の位置へ移動され得る。この第２の位置では、リテイナ７０の壁７２の小さな直径の穴部１０２が、エンドフォーム６２のフランジ６４付近に配置され、エンドフォーム６２がハウジング２０から分離されないようにブロックする。第２のラッチ留め位置にあるとき、側方エッジ７４から突出しているエッジのタブ１１０が、ハウジング２０の端部フランジ２６の周りに曲げられて、第２の位置で、リテイナ７０をハウジング２０の端部フランジ２６上にロックする。同時に、側方エッジ７６の予湾曲タブ１１２が、エンドフォーム６２のフランジ２６の周りに適合する。
【００２４】
エッジのタブ１１０，１１２がハウジング２０の端部フランジ２６から解放されると、リテイナ７０が、第１の位置へと摺動して戻され、エンドフォーム６２がハウジング２０から分離され得る。
【００２５】
１対のロックタブ１１４，１１６は、壁７２の１つの表面から一体的に打ち抜かれていてもよく、壁７２にしっかりと結合された別個の部材として形成されていてもよい。ロックタブ１１４，１１６は、ハウジング２０の端部フランジ２６の外周エッジと係合し、リテイナ７０を第２の位置で解放可能に保持する。
【００２６】
図４に更に示されているように、ハウジング２０を第２のラッチ留め位置で保持するために、任意の冗長なクリップあるいはラッチ１１６が使用されている。冗長なラッチ１１６は、互いに離間されて中央脚部１１９によって一端で相互接続されている１対の脚部１１７，１１８を備えたＵ字形のクリップである。側脚部１１７，１１８は、ハウジング２０をばね力と係合させるように所定程度の弾力性を与えるために、少し内方へテーパーが付けられていてよい。図４で示されているように、冗長ラッチ１１６の一方の脚部１１８は、長い直径の穴部１０４の一端部とエンドフォームのフランジ２６のエッジとの間の開口部から挿入される。他方の脚部１１７は、壁７２の側方エッジ７４とタブ１１０の湾曲端部との上を摺動する。
【００２７】
図５ないし図１０では、本発明の他の態様の流体クイックコネクタが示されている。この態様では、同様のハウジング２０が使用されている。しかしながら、トップハット５０では、図６および図１０に示されているように、これの一端面からスリーブ部１２０が延びている。肩部１２２は、小さな直径のスリーブ１２０と拡大した直径のフランジ１２４との間の移行部として働く。この移行部１２２は、軸方向に延びた環状舌部１２６とともに、肩部、即ち、凹部１２３を規定している。この環状舌部は、フランジ１２４から突出し、フランジ１２４の外径とスリーブ１２０の内径との間の所定の径に配置されている。移行部１２２と舌部１２６の外端部との間に延びている凹部１２３は、エンドフォーム６２がハウジング２０の孔内に完全に挿入されているときにエンドフォーム６２のフランジ６４全体を受けるような大きさにされている。
【００２８】
トップハット５０は、概して参照符号１３０で示されたリテイナ手段によってハウジング２０の孔内に保持される。リテイナ手段１３０は、一般的に高強度材料、例えば金属、例を挙げると、ステンレススチールでできたワンピース部材である。リテイナ１３０全体が、ワンピーススタンピングとして形成され得る。
【００２９】
リテイナ１３０は、ハウジング部１３２と付勢部１３４とを有している。ハウジング部１３２は、第１の端部１３８、対向した第２の端部１４０、および互いに離間された側エッジ１４２，１４４を備えた壁１３６である。側エッジ１４２，１４４は、離間された側壁１４６，１４８へ夫々に移行し、内方へ延びたフランジ１５０，１５２で夫々に終端している。
【００３０】
壁１３６と、側壁１４６，１４８の内側に裏返されたフランジ１５０および１５２とは、リテイナ１３０のハウジング部１３２をハウジング２０の拡大した端部２６の上に設けるように、ハウジング２０の拡大した端部フランジ２６を移動可能に受けるチャネルを形成している。
【００３１】
穴１５８が、壁１３６内に形成されている。穴１５８は、第１の大きな直径の穴部１６０と、この穴部と連続した第２の小さな直径の穴部１６２とを有している。連続した穴部１６０、１６２は、鍵穴形の穴１５８を形成している。
【００３２】
第１の大きな直径の穴部１６０は、エンドフォーム６２のフランジ６４の外径よりも僅かに大きくされている。第２の直径の穴部１６２の内径は、フランジ６４とエンドフォーム６２との外径より僅かに小さいので、リテイナ１３０がハウジング２０の拡大した端部２６の上に装着されたときに、フランジ６４と係合し、エンドフォーム６２をハウジング２０内でブロックまたは保持することができる。
【００３３】
壁１３６の第２の端部１４０は、フランジ１６４へ移行する。フランジ１６４の一端部は、壁１３６の第２の端部１４０に接続されている。フランジ１６４の対向する端部は、付勢部１３４へ移行する。付勢部は、単なる例だが、フランジ６４から所定角度で、典型的には垂直方向に延びた１対のばねアーム部１６６，１６８から形成されている。ばねアーム部１６６，１６８は、ハウジング２０の主要部の外径と同じか僅かに大きなフランジ１６４付近に傾斜部を有している。ばねアーム部１６６，１６８は、フランジ１６４に隣接した端部から内方へ曲がり、先端部１７０，１７２を形成するように僅かに外方へ湾曲している。先端部１７０，１７２間の通常のスペーシングは、ハウジング２０の主要部の外径よりも小さい。
【００３４】
ばねアーム部１６６，１６８から成る付勢手段１３４は、リテイナを図１０に示された第１の位置から図９に示された第２の位置へと自動的に動かす付勢力を提供する。第２の位置では、第２の小さな直径の穴部１６２が、フランジ６４およびエンドフォーム６２とアラインメントされており、エンドフォームが長手方向および軸方向にハウジング２０から分離されるのを防ぐ。
【００３５】
本発明のこの態様のクイックコネクタを組立てる際、リテイナ１３０は、ハウジング内に、図５に示された第１の位置に装着されている。この位置で、第１の大きな直径の穴部１６０は、エンドフォーム６２の拡大した直径のフランジ６４を受けるために、ハウジングの孔とアラインメントされる。トップハット５０は、舌部１２６が穴部１６０の内面を通って延びてリテイナ１３０を第１の予ラッチ位置に保持するように、ハウジング２０の第１の端部２２に向けて軸方向に動かされている。
【００３６】
この第１の位置で、ばねアーム部１６６，１６８は、予荷重付勢力の下で先端部１７０，１７２をハウジング２０上に位置させる。これによって、先端部１７０，１７２が、ハウジング２０の最も大きな直径の部分のちょうど上に位置する。
【００３７】
図６に示されているように、エンドフォーム６２の先端部６０をリテイナ１３０の穴部１６０とハウジング２０の孔との中に挿入するとき、エンドフォーム６２のフランジ６４は、トップハット５０の端部の凹部と係合し、エンドフォーム６２をハウジングの孔中に連続して挿入する方向にトップハット５０を軸方向に動かす。トップハットは、エンドフォーム６２の先端部６０がハウジング２０内でシール部材３４，３６、および３８とシール接触するように完全に挿入され、トップハット５０の移行部、即ち、肩部１２２がハウジング２０の端部の内面に着座されるまで、動かされる。この時点では、トップハット１２０の端部舌部１２６が、リテイナ３０の穴６０の内面から解放されている。湾曲されたばねアーム部１６６，１６８によって与えられる付勢力は、リテイナ１３０全体を、図５に示された第１の位置から図６および図９に示された第２の位置へと即座に動かす。このように第２の位置へと動かすことで、第２の小さな直径の穴部１６２がハウジング２０の孔とアラインメントされる。第２の小さな直径の穴部１６２は、図６に示されているように、エンドフォーム６２のフランジ６４と係合して、ハウジング２０のエンドフォーム６２をラッチ留めする。
【００３８】
リテイナ１３０を図５に示された第１の位置へと戻すように手で動かすことで、第１の大きな直径の穴部１６０がフランジ６４およびエンドフォーム６２とアラインメントされ、エンドフォーム６２がハウジング２０から分離され得る。エンドフォーム６２の先端部６０がハウジング２０から外方に向かって動くと、摩擦接触によってトップハット５０が軸方向に動かされる。この際、トップハットは、トップハット５０の舌部１２６が穴部１６０を通って延び、リテイナ１３０をこれを予ラッチする第１の位置で固定するまで動かされる。
【図面の簡単な説明】
【００３９】
【図１】本発明に係わる流体クイックコネクタの１つの態様の分解斜視図である。
【図２】組立てられ、開いた位置にある図１に示された流体クイックコネクタの端面図である。
【図３】組立てられ、閉じた位置にある図１に示された流体クイックコネクタの端面図である。
【図４】図３の組立てられたクイックコネクタの断面平面図である。
【図５】開いた位置で示されてある本発明に係わる他の態様の流体クイックコネクタの斜視図である。
【図６】図５に示された流体クイックコネクタの長手方向断面図である。
【図７】図５および図６に示されたリテイナの正面斜視図である。
【図８】図５および図６に示されたリテイナの後面斜視図である。
【図９】エンドフォームをクイックコネクタ内にラッチ留めしている、組立てられ閉じた位置にある図５のクイックコネクタの斜視図である。
【図１０】閉じてラッチ留めされた位置で示されて、組立てられた図９のクイックコネクタの長手方向断面図である。
【符号の説明】
【００４０】
２０・・・ハウジング、２２，２４・・・端部、２６，２８・・・フランジ、３０．３４・・・段部、３６，３８・・・Ｏリング、４０・・・スペーサ、４４・・・バーブ、５０・・・トップハット。
【図１】
2006132763.tif 000003
【図２】
2006132763.tif 000004
【図３】
2006132763.tif 000005
【図４】
2006132763.tif 000006
【図５】
2006132763.tif 000007
【図６】
2006132763.tif 000008
【図７】
2006132763.tif 000009
【図８】
2006132763.tif 000010
【図９】
2006132763.tif 000011
【図１０】
2006132763.tif 000012
【手続補正書】
【提出日】平成18年2月10日(2006.2.10)
【手続補正１】
【補正対象書類名】明細書
【補正対象項目名】０００５
【補正方法】変更
【補正の内容】
【０００５】
リテイナのタイプに関係なく、流体コネクタのハウジング部は、典型的には、端部から離間されたところに１つ以上の環状バーブを備えた細長いステムを有している。これらバーブは、ハウジングを導管の一端部と接続させるようにバーブ上に押圧される他のチューブ、即ち、導管との間にしっかりした係合を与える。  
【特許文献１】ＵＳ６，５４３，８１４
【特許文献２】ＵＳ６，２３４，５４４
【特許文献３】ＵＳ６，１５５，６１２
【特許文献４】ＵＳ６，０６２，６０７
【特許文献５】ＵＳ５，７９９，９８６
【外国語明細書】
2006132763000001.pdf